(57)【要約】【課題】ファクシミリ受信時、宛先人にとって常に最も都合がよい画像形成装置で、且つそのユーザが通常指定している設定に基づき、ファクシミリデータを出力させる。【解決手段】ファクシミリ装置１は情報処理装置（ＰＣ等）、画像形成装置に通信回線を介して接続される。装置１は、ファクシミリ受信時、各ＰＣのユーザ名を特定する情報と各ＰＣの名前に関する情報とを関連付けて記録した宛先解決テーブル１８ｃ、及び各ＰＣの名前に関する情報と各ＰＣにて指定済みの画像形成装置の名前又はアドレスに関する情報と各ＰＣにて指定済みの設定情報とを関連付けて記録したデフォルトプリンタテーブル１８ｂを参照して、ファクシミリデータの宛先人がユーザとなっているＰＣにて指定済みの画像形成装置に対して、そのファクシミリデータの転送、及びそのＰＣにて指定済みでその画像形成装置に関連する設定情報の転送のを行う。【選択図】図２
2006333234.tif 000002
【特許請求の範囲】
【請求項１】
電話回線を介してファクシミリデータの送受信を行うファクシミリ装置であって、当該ファクシミリ装置は、情報処理装置及び該情報処理装置に通信回線を介して接続された画像形成装置に、通信回線を介して接続され、当該ファクシミリ装置は、前記電話回線を介してファクシミリデータを受信したときに、該ファクシミリデータの宛先人がユーザとなっている前記情報処理装置にて指定済みの画像形成装置に対して、前記ファクシミリデータの転送、及び前記情報処理装置にて指定済みで画像形成装置に関連する設定情報の転送を行う転送手段を備えたことを特徴とするファクシミリ装置。
【請求項２】
前記設定情報は印刷設定に関する情報であることを特徴とする請求項１に記載のファクシミリ装置。
【請求項３】
前記印刷設定に関する情報は、用紙サイズ、余白設定、両面・片面設定、ヘッダ・フッタ設定のいずれかを含むことを特徴とする請求項２に記載のファクシミリ装置。
【請求項４】
前記転送手段は、前記通信回線を介して接続されている情報処理装置に対し、各情報処理装置のユーザ名を特定する情報と各情報処理装置の名前に関する情報とを関連付けて記録した宛先解決テーブル、及び、各情報処理装置の名前に関する情報と各情報処理装置にて指定済みの画像形成装置の名前又はアドレスに関する情報と各情報処理装置にて指定済みの設定情報とを関連付けて記録したデフォルトプリンタテーブルを記憶する記憶手段を有し、前記電話回線を介してファクシミリデータを受信したときに、前記記憶手段に記憶されている前記宛先解決テーブル及び前記デフォルトプリンタテーブルを参照して、前記ファクシミリデータの宛先人がユーザとなっている情報処理装置にて指定済みの画像形成装置に対して、前記ファクシミリデータ及び前記設定情報を転送することを特徴とする請求項１乃至３のいずれか１項に記載のファクシミリ装置。
【請求項５】
前記転送手段は、前記ファクシミリデータの宛先人がユーザとなっている前記情報処理装置にて指定済みの画像形成装置に対して前記ファクシミリデータの転送を行う際に、前記情報処理装置に指定済みで且つ前記画像形成装置に関連する設定情報を、該情報処理装置から取得する設定情報取得手段を有することを特徴とする請求項１乃至４のいずれか１項に記載のファクシミリ装置。
【請求項６】
前記転送手段は、前記設定情報取得手段で前記情報処理装置から前記設定情報を取得できない場合、当該ファクシミリ装置に記憶された初期設定情報を、前記ファクシミリデータと共に転送することを特徴とする請求項５に記載のファクシミリ装置。
【請求項７】
前記転送手段は、前記設定情報取得手段で前記情報処理装置から前記設定情報を取得できない場合、当該ファクシミリ装置に記憶された前記情報処理装置の設定情報を、前記ファクシミリデータと共に転送することを特徴とする請求項５に記載のファクシミリ装置。
【請求項８】
請求項１乃至７のいずれか１項に記載のファクシミリ装置と通信回線を介して接続可能な情報処理装置であって、電源をオンしたとき、或いは前記ファクシミリ装置に接続したときに、当該情報処理装置で指定済みの画像形成装置に関する情報及び前記設定情報を、前記通信回線を介して前記ファクシミリ装置に送信する手段を備えたことを特徴とする情報処理装置。
【請求項９】
請求項１乃至７のいずれか１項に記載のファクシミリ装置と通信回線を介して接続可能な情報処理装置であって、当該情報処理装置で指定済みの画像形成装置に関する情報及び前記設定情報のうち少なくとも一つが新たに設定又は変更されたときに、前記通信回線を介して前記ファクシミリ装置に送信する手段を備えたことを特徴とする情報処理装置。
【請求項１０】
請求項１乃至７のいずれか１項に記載のファクシミリ装置と通信回線を介して接続可能な画像形成装置であって、当該画像形成装置は、実行不可能な設定情報を受信した場合、当該画像形成装置に記憶された設定情報に基づいて、前記ファクシミリ装置から受信したファクシミリデータを出力することを特徴とする画像形成装置。
【請求項１１】
請求項１乃至７のいずれか１項に記載のファクシミリ装置における転送手段として、コンピュータを機能させるための、ファクシミリデータ及び設定情報転送用のプログラム。
【請求項１２】
請求項８又は９に記載の情報処理装置における送信する手段として、コンピュータを機能させるための、設定通知用のプログラム。
【請求項１３】
請求項１１又は１２に記載のプログラムを記録したコンピュータ読み取り可能な記録媒体。
【発明の詳細な説明】
【技術分野】
【０００１】
本発明は、受信したファクシミリデータを転送可能なファクシミリ装置、該ファクシミリ装置に接続された情報処理装置及び画像形成装置、プログラム、及び該プログラムを記録したコンピュータ読み取り可能な記録媒体に関する。
【背景技術】
【０００２】
従来のファクシミリ装置は、ファクシミリデータを受信すると直ちに記録紙に印刷し、印字結果をユーザが受け取りに行くのが一般的である。しかしながら、オフィス環境などでは１台のファクシミリ装置を複数の人が共通で利用するため、ファクシミリ装置から遠い場所にいるユーザにとっては印刷結果を取りに行く手間がかかることになる。
【０００３】
このような問題を解決することを目的とした受信ファクシミリデータの自動配信システムが提案されている（例えば、特許文献１を参照）。特許文献１に記載のシステムは、受信したファクシミリデータの転送先となる宛先データが予め格納された名簿ファイルを持ち、名簿ファイルに格納されている宛先データに基づいてファクシミリデータ中から文字認識された宛先に対してファクシミリデータを転送するよう構成されている。
【特許文献１】特開平６−１５２８３０号公報
【発明の開示】
【発明が解決しようとする課題】
【０００４】
しかしながら、特許文献１に記載のシステムでは、受信したファクシミリデータの転送先をファイルに格納しているが、その転送先が固定である為、ユーザが転送先プリンタを変更したい場合や、何らかのトラブルでそのプリンタが使用できない場合などに、転送先を手動で変更しなければならない。
【０００５】
さらに、ファクシミリデータの転送時に、転送先プリンタがユーザの望む設定情報に基づいた印字処理を実行できるような設定になっているとは限らず、ユーザは好まない印字結果でファクシミリ文書を受信して判読しなければならない。
【０００６】
本発明は、上述のごとき実情に鑑みてなされたものであり、ファクシミリデータを受信した際、そのデータの宛先人となっているユーザにとって、常に最も都合がよい画像形成装置で、且つユーザが通常指定している設定に基づき、ファクシミリデータを出力させることが可能なファクシミリ装置、該ファクシミリ装置に接続された情報処理装置、該ファクシミリ装置に接続された画像形成装置、該ファクシミリ装置に組み込まれるファクシミリデータ・設定情報の転送プログラム、該情報処理装置に組み込まれる設定通知プログラム、及びそれらのプログラムを記録したコンピュータ読み取り可能な記録媒体を提供することをその目的とする。
【課題を解決するための手段】
【０００７】
本発明は、上述のごとき課題を解決するために、以下の各技術手段でそれぞれ構成される。
第１の技術手段は、電話回線を介してファクシミリデータの送受信を行うファクシミリ装置であって、当該ファクシミリ装置は、情報処理装置及び該情報処理装置に通信回線を介して接続された画像形成装置に、通信回線を介して接続され、当該ファクシミリ装置は、前記電話回線を介してファクシミリデータを受信したときに、該ファクシミリデータの宛先人がユーザとなっている前記情報処理装置にて指定済みの画像形成装置に対して、前記ファクシミリデータの転送、及び前記情報処理装置にて指定済みで前記画像形成装置に関連する設定情報の転送を行う転送手段を備えたことを特徴としたものである。
【０００８】
第２の技術手段は、第１の技術手段において、前記設定情報は印刷設定に関する情報であることを特徴としたものである。
【０００９】
第３の技術手段は、第２の技術手段において、前記印刷設定に関する情報は、用紙サイズ、余白設定、両面・片面設定、ヘッダ・フッタ設定のいずれかを含むことを特徴としたものである。
【００１０】
第４の技術手段は、第１乃至第３のいずれかの技術手段において、前記転送手段は、前記通信回線を介して接続されている情報処理装置に対し、各情報処理装置のユーザ名を特定する情報と各情報処理装置の名前に関する情報とを関連付けて記録した宛先解決テーブル、及び、各情報処理装置の名前に関する情報と各情報処理装置にて指定済みの画像形成装置の名前又はアドレスに関する情報と各情報処理装置にて指定済みの設定情報とを関連付けて記録したデフォルトプリンタテーブルを記憶する記憶手段を有し、前記電話回線を介してファクシミリデータを受信したときに、前記記憶手段に記憶されている前記宛先解決テーブル及び前記デフォルトプリンタテーブルを参照して、前記ファクシミリデータの宛先人がユーザとなっている情報処理装置にて指定済みの画像形成装置に対して、前記ファクシミリデータ及び前記設定情報を転送することを特徴としたものである。
【００１１】
第５の技術手段は、第１乃至第４のいずれかの技術手段において、前記転送手段は、前記ファクシミリデータの宛先人がユーザとなっている前記情報処理装置にて指定済みの画像形成装置に対して前記ファクシミリデータの転送を行う際に、前記情報処理装置に指定済みで且つ前記画像形成装置に関連する設定情報を、該情報処理装置から取得する設定情報取得手段を有することを特徴としたものである。
【００１２】
第６の技術手段は、第５の技術手段において、前記転送手段は、前記設定情報取得手段で前記情報処理装置から前記設定情報を取得できない場合、当該ファクシミリ装置に記憶された初期設定情報を、前記ファクシミリデータと共に転送することを特徴としたものである。
【００１３】
第７の技術手段は、第５の技術手段において、前記転送手段は、前記設定情報取得手段で前記情報処理装置から前記設定情報を取得できない場合、当該ファクシミリ装置に記憶された前記情報処理装置の設定情報を、前記ファクシミリデータと共に転送することを特徴としたものである。
【００１４】
第８の技術手段は、第１乃至第７のいずれかの技術手段におけるファクシミリ装置と通信回線を介して接続可能な情報処理装置であって、電源をオンしたとき、或いは前記ファクシミリ装置に接続したときに、当該情報処理装置で指定済みの画像形成装置に関する情報及び前記設定情報を、前記通信回線を介して前記ファクシミリ装置に送信する手段を備えたことを特徴としたものである。
【００１５】
第９の技術手段は、第１乃至第７のいずれかの技術手段におけるファクシミリ装置と通信回線を介して接続可能な情報処理装置であって、当該情報処理装置で指定済みの画像形成装置に関する情報及び前記設定情報のうち少なくとも一つが新たに設定又は変更されたときに、前記通信回線を介して前記ファクシミリ装置に送信する手段を備えたことを特徴としたものである。
【００１６】
第１０の技術手段は、第１乃至第７のいずれかの技術手段におけるファクシミリ装置と通信回線を介して接続可能な画像形成装置であって、当該画像形成装置は、実行不可能な設定情報を受信した場合、当該画像形成装置に記憶された設定情報に基づいて、前記ファクシミリ装置から受信したファクシミリデータを出力することを特徴としたものである。
【００１７】
第１１の技術手段は、第１乃至第７のいずれかの技術手段のファクシミリ装置における転送手段として、コンピュータを機能させるための、ファクシミリデータ及び設定情報転送用のプログラムである。
【００１８】
第１２の技術手段は、第８又は第９の技術手段の情報処理装置における送信する手段として、コンピュータを機能させるための、設定通知用のプログラムである。
【００１９】
第１３の技術手段は、第１１又は第１２の技術手段におけるプログラムを記録したコンピュータ読み取り可能な記録媒体である。
【発明の効果】
【００２０】
本発明によれば、ファクシミリデータを受信した際、そのデータの宛先人となっているユーザにとって、常に最も都合がよい画像形成装置で、且つユーザが通常指定している設定に基づき、ファクシミリデータを出力させることが可能となる。
【発明を実施するための最良の形態】
【００２１】
本発明に係るファクシミリ装置は、電話回線を介してファクシミリデータの送受信を行う装置であって、ＰＣ等の情報処理装置に通信回線を介して接続されていると共に、それら情報処理装置に通信回線を介して接続されたプリンタ，プリンタ機能をもった複合機等の画像形成装置にも通信回線を介して接続されているものとする。また、本発明に係るファクシミリ装置は、ファクシミリ機能をもった多機能プリンタ（複合機）やファクシミリサーバにも適用可能である。そして、このファクシミリ装置は、電話回線を介してファクシミリデータを受信したときに、そのファクシミリデータの宛先人がユーザとなっている情報処理装置にて指定済みの画像形成装置、すなわちそのユーザが予め印刷先として指定若しくはデフォルトの印刷先として指定された画像形成装置に対して、ファクシミリデータの転送を行う転送手段を備える。
【００２２】
以下、本発明に係るファクシミリ装置について、画像形成装置としてプリンタを、情報処理装置としてＰＣを例に挙げて説明する。また、それらファクシミリ装置，１又は複数のプリンタ，１又は複数のＰＣがルータ及びハブやスイッチングハブ等によってネットワーク接続されたシステムを、ファクシミリデータ転送システムと称して説明する。
【００２３】
本発明では、例えば、ＰＣでの「通常使うプリンタに設定」したプリンタ及びそのプリンタの「印刷設定情報（以下、印字設定情報という）」をファクシミリ装置が動的に取得することで、常にユーザにとって最も都合がよいプリンタで、且つユーザが通常使用している印字設定で、出力することを可能としている。ここでは、転送先プリンタで用いる印字設定情報は、通常使うプリンタに対してユーザがＰＣで設定している情報となる。
【００２４】
より具体的には、ＰＣに指定済みのプリンタの設定情報をファクシミリ装置に送信することが可能となっている。そして、ローカルプリンタにＦＡＸデータを送信する際には、そのローカルプリンタに応じたプリンタ設定情報も同時に送信する。例えば、ユーザと、ユーザがＰＣで「通常使うプリンタに設定」しているプリンタとの組、及びそのプリンタの「印字設定情報」を、ファクシミリ装置が動的に記憶しておき、ファクシミリ受信時に、記憶した情報に基づいて、宛先であるユーザに関連付けられたプリンタを判別し、そのプリンタに受信ＦＡＸデータ及び印字設定情報を転送して印字する。そのプリンタはユーザにとって近くにあるはずであるので、受信結果を比較的近い場所で受け取ることができ、且つ、その印字設定情報は通常使うプリンタに対してユーザがＰＣで設定している情報であるはずであるので、ユーザが通常設定している設定情報に基づいた印刷ができる。
【００２５】
ＰＣとしては、ノートＰＣなど持ち運び可能なものである場合もあり、この場合にユーザの移動に伴いプリンタの設定が頻繁に変更されることが想定できるので、この場合に本発明は特に有効となる。なお、１ユーザにつき１台のＰＣが割り当てられている場合だけでなく、１台のＰＣに複数ユーザが割り当てられている場合でも、ユーザＩＤ等の識別などによって本発明は適用可能である。
【００２６】
図１は、本発明の一実施形態に係るファクシミリデータ転送システムの一構成例を示す図、図２は、本発明の一実施形態に係るファクシミリ装置の一構成例を示すブロック図で、図１のシステムに組み込まれるファクシミリ装置の一構成例を示す図である。
【００２７】
図１で例示するファクシミリ転送システムにおいて、ファクシミリ装置１は公衆電話網を介して遠隔のファクシミリ装置との間でデータを送受信する。また、ファクシミリ装置１はＬＡＮ（Ｌｏｃａｌ  Ａｒｅａ  Ｎｅｔｗｏｒｋ）に繋がれている。ＬＡＮは、ルータ２によって他のネットワークと接続されている。ルータ２には複数のスイッチングハブ（Ｓｗｉｔｃｈ）３ａ，３ｂ，．．．などの機器が接続されており、ルータ２のポートごとに異なるサブネットアドレスのネットワーク（ＬＡＮ）が形成される。ＬＡＮ上には、ハブやスイッチングハブ４ａ，４ｂ，．．．を介して、１台以上の情報処理装置であるホスト（ＰＣ５ａ，５ｂ，５ｃ，５ｄ，．．．、ネットワークプリンタ６ａ，６ｂ，６ｃ，６ｄ，．．．等）が存在している。また、Ｅｘｃｈａｎｇｅサーバ等、ユーザのスケジュールやその他のデータを管理する管理サーバを、例えば、ルータ２のポート０にスイッチングハブを介するなどして各ＰＣ５ａ，．．．やファクシミリ装置１からアクセス可能に接続するように、システムを構築してもよい。なお、ここで、ネットワークのトポロジは例示するものに限定されるものではない。
【００２８】
ファクシミリ装置１は、図２で例示するように、例えば、電源部１１、操作部１２、画像処理部１３、及びプリンタエンジン１４などと共に、ＬＡＮ通信Ｉ／Ｆ部１７、記憶部１８、網制御部１９、並びにそれらの制御を行う制御部１６が、バス１５などで接続されて構成されている。
【００２９】
電源部１１は、ファクシミリ装置１が備える各構成要素に対して電力を供給するものである。操作部１２は、操作者が画像形成条件等を入力したり、ファクシミリデータの送受信指示用の操作や各種パラメータの設定を行ったりするものである。
【００３０】
画像処理部１３は、受信したファクシミリデータを印刷に適した画像データに変換する処理や、図示していないスキャナにより読み取られた画像データをファクシミリデータの形式に変換したりする処理を行なうものである。プリンタエンジン１４は、例えば紙などの媒体に画像処理部１３で変換された画像データから印刷データを生成するものである。バス１５は、電源部１１、操作部１２、画像処理部１３、プリンタエンジン１４、制御部１６との間でデータを転送するための共通的な転送路を構成しているものであり、制御部１６とＬＡＮ通信Ｉ／Ｆ部１７，記憶部１８，網制御部１９と間での転送路でもある。
【００３１】
ＬＡＮ通信Ｉ／Ｆ部１７には、ハブ，スイッチングハブ，ルータ等を１０ＢＡＳＥ−Ｔ，１００ＢＡＳＥ−Ｔ，１０００ＢＡＳＥ−Ｔなどのツイストペアケーブル等を用いて自由に接続することができるＬＡＮボードが備えられている。また、網制御部１９には、公衆電話網を介して遠隔のファクシミリ装置との間に呼を確立するための網制御装置（ＮＣＵ）とファクシミリデータの変復調を行なうモデムも含む。
【００３２】
記憶部１８には、宛先解決テーブル１８ｃ、デフォルトプリンタテーブル１８ｂ、及び外部とのデータの送受信時に一時的にデータを格納するために使用されるデータバッファ１８ａ，１８ｄが含まれる。データバッファ１８ｄは、網制御部１９を介して電話網との間で送受信するデータを蓄積し、データバッファ１８ａはＬＡＮ通信Ｉ／Ｆ部１７を介してネットワーク機器との間で送受信するデータを蓄積する。また、記憶部１８には、ファクシミリ装置１の動作を制御するための設定パラメータを含め任意のデータも格納することができる。この設定パラメータとして、後述のデフォルトの印字設定情報なども含むとよい。
【００３３】
宛先解決テーブル１８ｃは、通信回線を介して接続されているＰＣに対し、各ＰＣのユーザ名を特定する情報と各ＰＣの名前に関する情報とを関連付けて記録したテーブルである。すなわち、宛先解決テーブル１８ｃは、受信ファクシミリデータより読み取った宛先からその宛先のホスト名を取得するためのテーブルである。
【００３４】
一方、デフォルトプリンタテーブル１８ｂは、各ＰＣの名前に関する情報と、各ＰＣにて指定済みのプリンタの名前又はアドレスに関する情報と、各ＰＣにて指定済みの設定情報（各ＰＣで指定済みのプリンタに関連する設定情報）とを関連付けて記録したテーブルである。すなわち、デフォルトプリンタテーブル１８ｂは、宛先解決テーブル１８ｃで取得した宛先のホスト名からホスト名が「通常使うプリンタに設定」しているプリンタ名（或いはＩＰアドレス）、及びそこで設定されている印字設定情報等の設定情報を取得するためのテーブルである。
【００３５】
宛先解決テーブル１８ｃ及びデフォルトプリンタテーブル１８ｂについては、後に図５乃至図７を参照して例示するが、制御部１６の転送先決定部１６ｂはこれらのテーブルから情報を読み取ることで受信ファクシミリデータの転送先を決定し、且つ同時に転送する印字設定情報も決定する。このように、上述の転送手段は、宛先解決テーブル１８ｃ及びデフォルトプリンタテーブル１８ｂを記憶する記憶手段を有するよう構成することが好ましい。この形態にあって、制御部１６は、電話回線を介してファクシミリデータを受信したときに、この記憶手段に記憶されているテーブル１８ｃ，１８ｂを参照して、ファクシミリデータの宛先人がユーザとなっているＰＣにて指定済みのプリンタに対して、そのファクシミリデータと指定済みの設定情報とを転送する。これにより、ファクシミリデータを受信した場合に、宛先人が「通常使うプリンタに設定」しているプリンタにその受信ファクシミリデータを転送することで、宛先人に近い場所で出力することが可能となり、さらに、ユーザが通常設定している設定情報に基づいた印刷等の出力が可能となる。
【００３６】
制御部１６は、内蔵されたファクシミリデータ送受信プログラム（ファームウェア）に従ってファクシミリ装置１全体を制御する。制御部１６には、ＬＡＮ通信制御部１６ａ、転送先決定部１６ｂ、宛先抽出部１６ｃ、ＦＡＸ通信制御部１６ｄが含まれる。
【００３７】
ＦＡＸ通信制御部１６ｄは、記憶部１８のデータバッファ１８ｄに、送信するファクシミリデータを一時格納して、ＩＴＵ−Ｔ規格のＧ３，Ｇ４などの伝送制御手段に従って網制御部１９及び電話回線を介して、データバッファ１８ｄに一時格納されたファクシミリデータの送信を行なったり、或いは逆に、ＩＴＵ−Ｔ規格のＧ３，Ｇ４などの伝送制御手段に従って電話回線及び網制御部１９を介して受信したファクシミリデータを記憶部１８のデータバッファ１８ｄに一時格納したりするものであり、電話回線を介したファクシミリデータの通信を実現する。
【００３８】
ＬＡＮ通信制御部１６ａは、記憶部１８のデータバッファ１８ａに、ＬＡＮ通信Ｉ／Ｆ部１７及びＬＡＮケーブルを介して送信するデータを一時格納して、送信データに対してパケット化即ちカプセル化等の処理を施し、ＬＡＮケーブル、及びハブやスイッチングハブやルータ等の各種ネットワーク機器を介して、指定されている宛先のホスト（ＰＣやプリンタ装置など）に対してカプセル化したデータを送信したり、或いは逆に、ＬＡＮケーブル及びＬＡＮ通信Ｉ／Ｆ部１７を介して受信したカプセル化されたデータを記憶部１８のデータバッファ１８ａに順次蓄積して、非カプセル化等の処理を施してデータバッファ１８ａに蓄積し直したりするものであり、ＬＡＮケーブルを介したデータ通信を実現する。
【００３９】
また、宛先抽出部１６ｃは、ＦＡＸ通信制御部１６ｄの制御により網制御部１９を介して受信して記憶部１８のデータバッファ１８ｄに一時格納している受信ファクシミリデータから、その受信ファクシミリデータの送信先を示す宛先に関する情報を抽出する処理を行なうものである。
【００４０】
転送先決定部１６ｂは、上述したように、宛先解決テーブル１８ｃを参照して、抽出された宛先より宛先のホスト名を取得し、さらにデフォルトプリンタテーブル１８ｂを参照してそのホスト名に該当するエントリを検索し、転送先プリンタ及び送信する印字設定情報を決定し、ＬＡＮ通信制御部１６ａに送信指示を行うものである。
【００４１】
図３は、図１及び図２で示すシステムにおけるファクシミリデータの受信処理手順の一例を示す概略図である。
【００４２】
ここで例示するファクシミリデータ転送システムでは、デフォルトプリンタテーブル１８ｂ及び宛先解決テーブル１８ｃを使用してファクシミリデータの転送を行うシステムである。このシステムにおけるファクシミリデータの受信処理手順を、図３を参照して説明する。なお、デフォルトプリンタの取得手順については図４乃至図７を参照して後段で詳述する。
【００４３】
図３を参照すると、まず、（１）ファクシミリデータの受信をトリガとしてこのデータ転送処理が実行される。ファクシミリデータの受信がなされると、（２）ファクシミリデータから宛先を認識する。宛先の抽出方法としては、受信したファクシミリデータ中から宛先部分に該当する文字を認識する方法等を用いる。宛先抽出方法については、特許文献１にも開示されていることであり、その説明を省略する。次に、（３）上記（２）で認識した宛先を基に、宛先解決テーブル１８ｃから該当するホスト名（ＰＣ５ａで例示）を取得する。そして、（４）上記（３）で取得したホスト名に対する「通常使うプリンタに設定」されているプリンタ（プリンタ６ａで例示）のプリンタ名、或いはＩＰアドレスと、そのプリンタに関連する印字設定情報と、をデフォルトプリンタテーブル１８ｂから取得し、（５）そのプリンタに、対象となったファクシミリデータ及び印字設定情報を転送する。一方、転送された側のプリンタ（プリンタ６ａで例示）は、（６）そのファクシミリデータを出力する。
【００４４】
なお、上記（４）における印字設定情報の取得は、図６，図７，図９を参照して後述するＰＣ側からの通知処理と、図１０を参照して後述するファクシミリ装置側からの取得処理とのいずれか又は双方の処理によって、実現できる。上述のごとく、デフォルトプリンタテーブル１８ｂにプリンタの情報だけでなく印字設定情報を含ませておくことで、ファクシミリデータを受信した際、そのデータの宛先人となっているユーザにとって、常に最も都合がよい画像形成装置で出力させることが可能となり、さらにユーザが通常使用している設定によってファクシミリデータを印字することが可能となる。
【００４５】
また、（７）上記（４）において、「通常使うプリンタに設定」されているプリンタをテーブルから判別できなかった場合、すなわち該当するプリンタがテーブルのエントリになかった場合は、ファクシミリ装置１にて出力を行うようにしてもよい。また、上記（４）に関連し、プリンタの判別はできるが印字設定情報が格納されていなかった場合には、図１０を参照して後述するように、デフォルトの印字設定情報を送信するか、何も送信しないようにしておけばよい。また、（８）上記（５）と同時に（場合によっては下記（７）で出力すると同時に）、受信者（宛先）のＰＣ（ＰＣ５ａで例示）に対してＦＡＸ出力通知する。通知を行う方法の一例として、上記（４）で取得した宛先のホスト名に対するＩＰアドレスを使用して、そのアドレスに対して通知データを送信する方法などが適用できる。
【００４６】
ここで、上記（７）に関連する、転送先のプリンタが判別できなかった場合の処理について説明する。この処理を実行するために、ファクシミリ装置１は、制御部１６に次の第２転送手段を備えるものとする。第２転送手段は、電話回線を介してファクシミリデータを受信した際に、転送手段が、宛先解決テーブル１８ｃ及びデフォルトプリンタテーブル１８ｂを参照するなどしても、そのファクシミリデータの宛先人が指定しているプリンタ６ａを判別できなかった場合に、そのファクシミリデータをファクシミリ装置１に具備された画像形成部（図示せず）に転送する。なお、この画像形成部は、ファクシミリ装置に通常具備されている部位であり、入力されたファクシミリデータから画像を形成して出力する画像形成手段を備えているものとする。この画像形成手段は、例えば画像処理部１３で処理された画像データをプリンタエンジン１４によって印刷データに変換して、その印刷データに基づき紙媒体等に印字を行う。この形態によれば、宛先の識別ができなかった場合や、該当するプリンタ６ａがＬＡＮに接続されていなかった場合などにファクシミリ装置１でその受信ファクシミリデータを出力することが可能となる。
【００４７】
次に、上記（８）の転送通知処理について説明する。この処理を実行するために、ファクシミリ装置１は、制御部１６に次の宛先通知手段を備えるものとする。宛先通知手段は、電話回線を介して受信したファクシミリデータを転送手段がプリンタ６ａに転送する際に、そのファクシミリデータの宛先人がユーザとなっているＰＣ５ａに対してそのプリンタ６ａに転送した旨を通知する。この形態によれば、データの宛先人が、受信ファクシミリデータを出力するプリンタ６ａを認知することが可能となる。
【００４８】
図４は、図１及び図２で示すシステムにおけるデフォルトプリンタテーブル構築手順の一例を示す概略図、図５は、図３の処理において使用する宛先解決テーブルの一例を示す図、図６は、図３及び図４の処理において使用するデフォルトプリンタテーブルの一例を示す図、図７は、図６のテーブルにおいて印字設定情報として設定可能な設定項目の一例を示す図である。
【００４９】
図３を参照して説明したデータ転送処理によって転送先となるプリンタ及び印字設定が、常に現在のＰＣでの設定に基づいて決定されるようにするために、デフォルトプリンタテーブル１８ｂを常に最新の情報で構築しておく必要がある。そのため、例えば、次の（１）〜（６）の処理を実行しておくとよい（図４を参照）。
【００５０】
まず、ＰＣ（ＰＣ５ａ，５ｂで例示）側の処理として、（１）ＰＣ５ａ，５ｂがネットワークに初めて接続された場合、「通常使うプリンタの設定・印字設定」の情報をファクシミリ装置１に送信する。ここで、「通常使うプリンタ・印字設定」が存在しない場合は送信しない。次に、ファクシミリ装置１側の処理としては、（２）ファクシミリ装置１がデフォルトプリンタテーブル１８ｂにエントリ追加する。
【００５１】
上記（１），（２）の処理を実行するために、ＰＣ５ａ，５ｂは、電源をオンしたとき、或いは通信回線を介してファクシミリ装置１に接続したときに、指定済みのプリンタに関する情報（プリンタの名前及び／又はアドレス）及びＰＣで指定済みでプリンタに関連した印字設定情報を、通信回線を介してファクシミリ装置１に送信する手段を備えるものとする。一方、ファクシミリ装置１側では、転送手段が、ＰＣ（例えばＰＣ５ａ）から通信回線を介してそのＰＣ５ａが指定済みのプリンタに関する情報及び印字設定情報を受信したときに、受信した情報を元に転送を行うように情報を更新する手段を有するものとする。この形態を採用することで、ＰＣがＬＡＮに接続された場合にそのＰＣのホスト名とそのプリンタの情報と印字設定情報とを記憶することが可能となる。
【００５２】
ＰＣのネットワーク接続が２回目以降の場合、（３）ＰＣ５ａ，５ｂで「通常使うプリンタの設定・印字設定」を変更する毎に更新情報をファクシミリ装置１に送信し、（４）ファクシミリ装置１がデフォルトプリンタテーブル１８ｂのエントリ更新する。
【００５３】
上記（３），（４）の処理を実行するために、ＰＣ５ａ，５ｂは、指定済みのプリンタの設定・印字設定の少なくとも一方の情報が新たに設定又は変更された場合に、設定又は変更されたプリンタに関する情報を、通信回線を介してファクシミリ装置１に送信する手段も備える。一方、ファクシミリ装置１側では、転送手段が、ＰＣ（例えばＰＣ５ａ）から通信回線を介してそのＰＣ５ａが指定済みのプリンタに関する情報を受信したときに、受信した情報を元に転送を行うように情報を更新する手段を有するものとする。この形態を採用することで、ＰＣで「通常使うプリンタ・印字設定」の設定を変更や新たに実行した場合に、そのＰＣのホスト名とそのプリンタの情報を記憶することが可能となる。
【００５４】
また、（５）ＰＣ５ａ，５ｂが電源ＯＦＦになったことをファクシミリ装置１に通知する。（６）ファクシミリ装置１は、上記（５）の通知があった場合、物理的位置関係の変動はない場合が多いことを鑑みると、デフォルトプリンタテーブル１８ｂのエントリを削除しても、しなくてもよい。ここで、ＰＣの機種（設置型なのか／ポータブルなのか）を判定し、ポータブルであった場合にはエントリを削除するようにしておいてもよい。
【００５５】
上記（５），（６）の処理を実行するために、ＰＣ５ａ，５ｂは、電源をオフする際、或いはネットワークを介したファクシミリ装置１との接続を切断する際、すなわちファクシミリ装置１と通信不能になる際に、当該ＰＣ５ａ，５ｂとファクシミリ装置１との接続が切断される旨の通知を、通信回線を介してファクシミリ装置１に送信する手段を備えるものとする。一方、ファクシミリ装置１側では、転送手段が、ＰＣ（例えばＰＣ５ａ）から通信回線を介して、そのＰＣ５ａとファクシミリ装置１との接続が切断される旨の通知を受信したときに、受信元のＰＣ５ａに対する転送を行わないように情報を更新する手段を有するものとする。電源ＯＦＦなどでＰＣがＬＡＮから切り離された場合に、以前の情報に基づいて転送処理を行っても宛先に近いプリンタに届くとは限らず、またＰＣの移動などがあった場合にエントリは使用されないため、この形態を採用することで、このような不要となったエントリを削除し、テーブルサイズを適切に保つことが可能となる。
【００５６】
図５で例示する宛先解決テーブル３１（図２及び図３における宛先解決テーブル１８ｃ）は、受信ファクシミリデータから読み取った宛先に基づいて、その宛先のホスト名を取得するために用いられる。宛先解決テーブル３１は、ファクシミリデータの宛先として用いられる語とそれに対応するホスト名を記録している。例えば、ファクシミリデータの宛先として用いられる語としては、ファクシミリデータの受取人の氏名や部署名などが該当する。ホスト名としては、受取人が使用しているＰＣなどのホスト名が該当する。また、１つのホスト名に対して宛先として用いられる語が複数関連付けられている構成でもよい。また、ファクシミリ装置で受信する可能性のある全てのホスト名を宛先解決テーブル３１に格納しておく必要がある。さらに、宛先の誤認識を考慮して、宛先を、例えば氏名全てを記載せずに名字だけ記録しておくなどの工夫も行ってもよい。
【００５７】
図６のデフォルトプリンタテーブル３２（図２乃至図４におけるデフォルトテーブル１８ｂ）は、図４で説明した通り、ＰＣがネットワークに接続された場合、そのＰＣで「通常使うプリンタに設定」されているプリンタのプリンタ名、或いはＩＰアドレスと、そのＰＣでそのプリンタに対して設定されている印字設定情報とが、ファクシミリ装置に通知されることで、そのＰＣ名とプリンタ名或いはＩＰアドレスと印字設定との組を記憶する。このように、デフォルトプリンタテーブル３２には印字設定情報（印字設定パラメータ情報）を含んだテーブルである。ここで、ＰＣがネットワークに接続された場合とは、ＬＡＮにつながっているＰＣの電源がＯＮになった場合、或いは電源が入っているＰＣをＬＡＮに接続した場合などを指す。
【００５８】
さらに、各ＰＣで「通常使うプリンタに設定」されているプリンタや印字設定を変更した場合にも同様の通知がＰＣから行われるので、該当するエントリを更新することができる。また、ＰＣの電源をＯＦＦにする場合、ＰＣが電源ＯＦＦになったことをファクシミリ装置に通知し、通知を受けたファクシミリ装置はそのＰＣのエントリを削除するようにしてもよい。このようにすることによって、デフォルトプリンタテーブル３２の記憶容量を節約することが可能である。
【００５９】
また、デフォルトプリンタテーブル３２に含まれる設定可能なパラメータの一例としては、図７で例示する印字設定項目３３のごとき印字設定に関する情報が挙げられる。印字設定項目３３としては、用紙サイズ、余白設定、両面／片面設定、ヘッダ・フッタ設定、カラー／モノクロ設定などが挙げられ、例えば、これらのうちいずれか１又は複数設定できればよい。
【００６０】
上述のごときＰＣからの通知によって、ファクシミリ装置はＰＣが「通常使うプリンタに設定」しているプリンタ及び印字設定を認識することができ、そのＰＣへの受信ファクシミリデータ及び印字設定をそのプリンタに転送することができる。
【００６１】
以上、図５乃至図７で例示したデフォルトプリンタテーブル１８ｂ及び宛先解決テーブル１８ｃを使用し、図３及び図４で例示した一連の手順により、受信ファクシミリデータ及び印字設定を宛先に近いプリンタに転送し、そのプリンタにてその印字設定で出力することが可能となる。
【００６２】
図８は、図３で例示したファクシミリデータ受信処理におけるデータ転送処理を説明するためのフロー図である。図８を参照して、ファクシミリ装置がファクシミリデータを受信したときの図２の制御部における処理例を説明する。
【００６３】
ファクシミリ装置が電話回線を介してファクシミリデータを受信すると、受信したファクシミリデータより宛先を判別する（ステップＳ１）。宛先の抽出方法としては、受信したファクシミリデータ中から宛先部分に該当する文字を認識する方法等を用いる。次にステップＳ２へ進み、ステップＳ１で判別した宛先のＰＣ（ホスト）名を取得するため、宛先解決テーブルを参照する。宛先解決テーブルにその宛先に対するエントリが存在しない場合はステップＳ３に進み、そのファクシミリデータをファクシミリ装置で出力し、ファクシミリ装置がファクシミリデータを受信した場合の処理を終了する。ここで、宛先解決テーブルにその宛先に対するエントリが存在しない場合とは、宛先の判別が完全ではないか、或いは間違いの可能性がある場合なども該当する。このように、本発明は、宛先の誤認識にも対応可能にしておくことが好ましい。
【００６４】
ステップＳ２で、その宛先に対するエントリが宛先解決テーブルに存在する場合はステップＳ４に進み、ステップＳ２で取得したホスト名の「通常使うプリンタに設定」されているプリンタ及びその印字設定を取得するため、デフォルトプリンタテーブルを参照する。デフォルトプリンタテーブルにそのホスト名に対するエントリが存在しない場合はステップＳ３に進み、そのファクシミリデータをそのファクシミリ装置で出力し、ファクシミリ装置がファクシミリデータを受信した場合の処理を終了する。
【００６５】
ステップＳ４で、そのホスト名に対するエントリがデフォルトプリンタテーブルに存在する場合はステップＳ５に進み、そのホストに対応するプリンタにそのファクシミリデータ及び印字設定情報を転送し、ステップＳ６に進む。ステップＳ６では、そのファクシミリデータをそのプリンタに出力した旨の通知をファクシミリ本来の宛先であるホスト（ステップＳ２で取得したホスト名）に送信し、ファクシミリ装置がファクシミリデータを受信した場合の処理を終了する。
【００６６】
図９は、図６で例示したデフォルトプリンタテーブルを常に最新の情報で構築しておく処理を説明するためのフロー図である。図９を参照して、ファクシミリ装置がＰＣ（ホスト）から通知を受信したときの図２の制御部における処理例を説明する。
【００６７】
ファクシミリ装置が電気通信回線を介して通知を受信すると、その通知が送信元ホストでの「通常使うプリンタ」に関する通知であるか判定を行う（ステップＳ１１）。「通常使うプリンタ」に関する通知であればステップＳ１２に進み、その送信元ホスト名と「通常使うプリンタ」に関する情報（プリンタ名、或いはＩＰアドレス、或いはその両方）の組をデフォルトプリンタテーブルに記録・更新し、ファクシミリ装置がホストから通知を受信した場合の処理を終了する。ここで、印字設定に関する情報を取得し、同様にデフォルトプリンタテーブルに格納するとよい。
【００６８】
ステップＳ１１でその通知が「通常使うプリンタ」に関する通知でないと判定された場合はステップＳ１３に進み、その通知が、送信元ホストでの「通常使うプリンタ」における印字設定の変更（印字設定変更／新規設定）の通知であるか判定を行う。ステップＳ１３で「印字設定変更」に関する通知であると判定された場合にはステップＳ１２に進み、その送信元ホスト名と「通常使うプリンタ」に関する情報（プリンタ名、或いはＩＰアドレス、或いはその両方、及び印字設定）の組をデフォルトプリンタテーブルに記録・更新し、ファクシミリ装置がホストから通知を受信した場合の処理を終了する。
【００６９】
ステップＳ１３でその通知が「印字設定変更」に関する通知でないと判定された場合はステップＳ１４に進み、その通知が、送信元ホストが電源ＯＦＦすること、或いは送信元ホストがＬＡＮから切断されることを通知するもの（以下、電源ＯＦＦ通知とする）であるか判定を行う。その通知が電源ＯＦＦ通知である場合、必要であればその送信元ホストに関するエントリをデフォルトプリンタテーブルから削除してテーブル更新を行い（ステップＳ１２）、ファクシミリ装置がホストから通知を受信した場合の処理を終了する。ステップＳ１４でその通知が電源ＯＦＦ通知でないと判定された場合、適切な処理（その他の処理があればその処理）を行って（ステップＳ１５）、ファクシミリ装置がホストから通知を受信した場合の処理を終了する。
【００７０】
図１０は、図６で例示したデフォルトプリンタテーブルを常に最新の情報で構築しておく他の処理を説明するためのフロー図で、図３で例示したファクシミリデータ受信処理におけるファクシミリデータ転送時に、宛先人の情報処理装置に対して印字設定情報を取得する設定情報取得処理を説明するためのフロー図である。
【００７１】
図１０を参照して、ファクシミリ装置がファクシミリデータをプリンタに転送する際に、宛先人のＰＣ（ホスト）に対して印字設定を取得するといった図２の制御部における処理例を説明する。図１０を参照して説明する処理例は、図３における処理手順（４）に関連する処理であり、基本的に、図９及び図６で説明した通知受信処理の代わりとなる処理となる。
【００７２】
受信ファクシミリデータの転送先であるプリンタが決定されると、ファクシミリ装置は宛先人のＰＣに対してそのプリンタに対する印字設定情報を問い合わせる（ステップＳ２１）。次に、ファクシミリ装置は、ＰＣから印字設定情報を取得できたか否かの判定を行う（ステップＳ２２）。印字設定情報を取得した場合はステップＳ２３に進み、ファクシミリデータと共にその設定情報を転送先のプリンタへ送信することで、印字設定情報取得処理を終了する。一方、ステップＳ２２で宛先人のＰＣから印字設定情報を取得できなかったと判定された場合、ステップＳ２４に進み、そのファクシミリデータとともに、予めファクシミリ装置の記憶部に格納していた印字設定情報（デフォルト設定情報）を転送先のプリンタへ送信することで、印字設定情報取得処理を終了する。
【００７３】
本発明では、ここでの処理のように、ファクシミリデータ受信時において、宛先人の情報処理装置にて指定済みの画像形成装置に対してそのファクシミリデータを転送する際に、ファクシミリ装置側からその情報処理装置に対してその画像形成装置の印字設定情報を取得するようにしてもよい。そのため、転送手段は、このような取得処理を実行する設定情報取得手段を備えておくことが好ましい。
【００７４】
また、ステップＳ２４において、過去に該当するＰＣから該当するプリンタの印字設定情報を取得していた場合には、ファクシミリ装置の記憶部に記憶しておいたその印字設定情報を、宛先人のＰＣから印字設定情報を取得できなかった場合に使用するようにしてもよい。すなわち、転送手段は、設定情報取得手段で情報処理装置から設定情報を取得できない場合、ファクシミリ装置に記憶された情報処理装置の設定情報を、ファクシミリデータと共に転送するようにしておけばよい。
【００７５】
さらに、そのような情報がない場合にはファクシミリ装置自体の初期設定情報を使用するといった処理も採用できる。すなわち、転送手段は、設定情報取得手段で情報処理装置から設定情報を取得できない場合、ファクシミリ装置に記憶された初期設定情報を、ファクシミリデータと共に転送するようにしておいてもよい。その他、ステップＳ２４の代わりの処理として、ファクシミリデータ以外、何も送信しないような処理を実行してもよい。
【００７６】
図１１は、図３で例示したファクシミリデータ受信処理におけるファクシミリデータ転送後に、画像形成装置側で実行される印字処理を説明するためのフロー図である。図１１を参照して、ファクシミリ装置がファクシミリデータをプリンタに転送した後、そのプリンタにおいて実行される印字処理の例を説明する。
【００７７】
プリンタが電気通信回線を介してファクシミリデータ及び印字設定を受信すると、まず、その印字設定がこのプリンタで実行可能か否かの判定を行う（ステップＳ３１）。印字設定実行可能であれば、ステップＳ３２に進み、その指定の印字設定に基づいて、受信したファクシミリデータを出力し、転送先プリンタでの処理を終了する。一方、ステップＳ３１で、その印字設定がこのプリンタで実行不可能であると判定された場合には、ステップＳ３３に進み、そのプリンタのデフォルト設定に基づいて、受信したファクシミリデータを出力し、転送先プリンタでの処理を終了する。
【００７８】
図１１で説明したような処理を実行するために、画像形成装置は、実行不可能な設定情報を受信（取得）した場合、画像形成装置に記憶された設定情報に基づいて、ファクシミリ装置から受信したファクシミリデータを出力するよう構成しておけばよい。
【００７９】
このようにして、本実施形態に係るファクシミリデータ転送システムは、適時、必要な情報を取得しながら、受信したファクシミリデータから宛先を判別し、宛先に基づいて宛先のＰＣ（ホスト）名を識別する。そして取得したホスト名に関連付けられた「通常使うプリンタ」に、同じく関連づけられた「印字設定」情報と共に受信ファクシミリデータを転送し、出力することによって、宛先に近い場所でファクシミリデータを指定の設定で印字出力することを可能としている。
【００８０】
以上、本発明によれば、ファクシミリデータを受信した際、そのデータの宛先人となっているユーザにとって、常に最も都合がよい画像形成装置で、且つユーザが通常指定している設定に基づき、ファクシミリデータを出力させることが可能となる。ここで、出力の例としては、画像形成装置の持ってる機能にも依るが、印字の他にファイル出力なども含まれるものとする。
【００８１】
ここで、図２で説明した制御部１６について補足的に説明する。図２の制御部１６は、実際には、ＣＰＵ（Ｃｅｎｔｒａｌ  Ｐｒｏｃｅｓｓｉｎｇ  Ｕｎｉｔ），ＭＰＵ（ＭＩｃｒｏ  Ｐｒｏｃｅｓｓｉｎｇ  Ｕｎｉｔ）等の中央演算処理装置と、ファクシミリデータ転送プログラムを含むファームウェアが格納されたＲＯＭ（Ｒｅａｄ  Ｏｎｌｙ  Ｍｅｍｏｒｙ；但し書き換え可能なＲＯＭであることが好ましい）と、ファームウェアを中央演算処理装置が読み出して実行する実行領域としてのＲＡＭ（Ｒａｎｄａｍ  Ａｃｃｅｓｓ  Ｍｅｍｏｒｙ）などにより構成される。このように、本発明はファクシミリデータ・設定情報転送プログラムとしての形態も採用できる。このプログラムとしては、少なくとも本実施形態に係るファクシミリデータ転送処理及び設定情報転送処理を中央演算処理装置に実行させるためのプログラムであればよい。つまり、このプログラムは、ファクシミリ装置に組み込み、そのファクシミリ装置における中央演算処理装置を、上述した転送手段（及びその他の手段）として機能させるためのプログラムである。
【００８２】
また、図１やファクシミリ装置への通知処理について説明したＰＣは、実際には、ＣＰＵ，ＭＰＵ等の中央演算処理装置と、「通常使うプリンタ」・「印字設定」の通知等を行うプログラムを含むソフトウェアが格納されたＲＯＭ（書き換え可能なＲＯＭ）と、このプログラムを中央演算処理装置が読み出して実行する実行領域としてのＲＡＭなどにより構成される。このように、本発明は、「通常使うプリンタ」・「印字設定」の通知等を行うデフォルトプリンタ通知プログラムとしての形態も採用できる。このプログラムとしては、少なくとも本実施形態に係るデフォルトプリンタ通知処理を中央演算処理装置に実行させるためのプログラムであればよい。つまり、このプログラムは、ＰＣに組み込み、そのＰＣにおける各手段として、中央演算処理装置を機能させるために実行させるためのプログラムである。
【００８３】
次に、ＰＣの例として、図１２に示す一般的な情報処理装置の構成例を説明する。情報処理装置４０としては汎用ＰＣが挙げられ、各種情報を入力するためのキーボード，マウス，記録媒体読取装置，他の機器からの入力用のネットワーク機器などの入力装置４４、各種情報を表示するためのＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）などのディスプレイである表示装置４５、ネットワーク接続装置（ネットワークに接続して通信を行うためのネットワークボード等の通信機器）などの通信装置４６、印刷装置，記録媒体用記録装置などの外部出力装置（図示せず）、さらには、プログラムを記録したハードディスクやＲＯＭ４３、そこに格納されたプログラムを実行するためのＣＰＵ４１、及びその実行領域としてのＲＡＭ４２をその主要な構成要素とし、それらがバス４７により接続されているものとして例示している。このプログラムは、ユーザが各種設定時などに使用する際に容易となるように、表示装置４５用のグラフィカルユーザインターフェース（ＧＵＩ）を備えるようにするとよい。そして、これら装置で取り扱われる情報は、その処理時に一時的にＲＡＭ４２に蓄積され、その後、各種ＲＯＭ４３やハードディスクに格納され、必要に応じて、ＣＰＵ４１によって読み出し、修正・書き込みが行われる。また、ここでの説明は、図２のファクシミリ装置１における制御部１６に組み込まれるファクシミリデータ転送プログラムや、画像形成装置内に組み込まれる、印字設定の選定（受信した印字設定／デフォルト印字設定の選定）プログラムにも適用可能である。
【００８４】
さらに、本発明は、上述のごときファクシミリ装置側のプログラムやＰＣ側のプログラムや画像形成装置側のプログラム、或いはデータを記録したコンピュータ読み取り可能な記録媒体としての形態も採用できる。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムを記録媒体に記録して流通させることにより、本発明に係る機能の実現を容易にする。ファクシミリ装置（／画像形成装置）側のプログラムは、例えば、コンピュータ等の情報処理装置に、上述のごとくの記録媒体を装着して情報処理装置によりプログラムを読み出してファクシミリ装置（／画像形成装置）の制御部に転送するなどして、プログラムをファクシミリ装置（／画像形成装置）において実行可能に格納することができる。ＰＣ側のプログラムは、例えば、そのＰＣに、上述のごとくの記録媒体を装着してそのＰＣによりプログラムを読み出すか、若しくはＰＣが備えているハードディスク等の記録媒体に当プログラムを記憶させておき、必要に応じて読み出すことにより、本発明に係わる機能を実行することができる。
【図面の簡単な説明】
【００８５】
【図１】本発明の一実施形態に係るファクシミリデータ転送システムの一構成例を示す図である。
【図２】本発明の一実施形態に係るファクシミリ装置の一構成例を示すブロック図で、図１のシステムに組み込まれるファクシミリ装置の一構成例を示す図である。
【図３】図１及び図２で示すシステムにおけるファクシミリデータの受信処理手順の一例を示す概略図である。
【図４】図１及び図２で示すシステムにおけるデフォルトプリンタテーブル構築手順の一例を示す概略図である。
【図５】図３の処理において使用する宛先解決テーブルの一例を示す図である。
【図６】図３及び図４の処理において使用するデフォルトプリンタテーブルの一例を示す図である。
【図７】図６のテーブルにおいて印字設定情報として設定可能な設定項目の一例を示す図である。
【図８】図３で例示したファクシミリデータ受信処理におけるデータ転送処理を説明するためのフロー図である。
【図９】図４で例示したデフォルトプリンタテーブルを常に最新の情報で構築しておく処理を説明するためのフロー図である。
【図１０】図６で例示したデフォルトプリンタテーブルを常に最新の情報で構築しておく処理を説明するためのフロー図である。
【図１１】図３で例示したファクシミリデータ受信処理におけるファクシミリデータ転送後に、画像形成装置側で実行される印字処理を説明するためのフロー図である。
【図１２】一般的な情報処理装置の構成例を説明するための図である。
【符号の説明】
【００８６】
１…ファクシミリ装置、２…ルータ、３ａ，３ｂ…スイッチングハブ、４ａ，４ｂ…ハブ／スイッチングハブ、５ａ，５ｂ，５ｃ，５ｄ…ＰＣ（ホスト）、６ａ，６ｂ，６ｃ，６ｄ…ネットワークプリンタ、１１…電源部、１２…操作部、１３…画像処理部、１４…プリンタエンジン、１５…バス、１６…制御部、１６ａ…ＬＡＮ通信制御部、１６ｂ…転送先決定部、１６ｃ…宛先抽出部、１６ｄ…ＦＡＸ通信制御部、１７…ＬＡＮ通信Ｉ／Ｆ部、１８…記憶部、１８ａ，１８ｄ…データバッファ、１８ｂ，３２…デフォルトプリンタテーブル、１８ｃ，３１…宛先解決テーブル、１９…網制御部、３３…印字設定項目、４０…情報処理装置、４１…ＣＰＵ、４２…ＲＡＭ、４３…ＲＯＭ、４４…入力装置、４５…表示装置、４６…通信装置、４７…バス。
【図１】
2006333234.tif 000003
【図２】
2006333234.tif 000004
【図３】
2006333234.tif 000005
【図４】
2006333234.tif 000006
【図５】
2006333234.tif 000007
【図６】
2006333234.tif 000008
【図７】
2006333234.tif 000009
【図８】
2006333234.tif 000010
【図９】
2006333234.tif 000011
【図１０】
2006333234.tif 000012
【図１１】
2006333234.tif 000013
【図１２】
2006333234.tif 000014